(57)【要約】【課題】    腹起しを設置するためのブラケットの取付けおよび撤去を簡単に行うことにより、山留め工の仮設および撤去をきわめて効率的に行うことのできる腹起し取付け構造を提供する。【解決手段】  山留め壁１の壁面に設けられた突起１１と、突起１１に掛止される掛止部１３ａを備えたブラケット１２と、ブラケット１２を山留め壁１の壁面に固定するためのタイバックアンカー７とから構成する。ブラケット１２は、腹起し３が載置されるアーム部１２ａと、アーム部１２ａの基端側から山留め壁１の壁面に沿って上方に延びる延出部１３とを有し、延出部１３をアーム部１２ａに載置される腹起し３より上方でタイバックアンカー７によって固定する。【選択図】                図１
2006037552.tif 000002
【特許請求の範囲】
【請求項１】
山留め壁に腹起しを取り付けるための腹起し取付け構造であって、前記山止め壁の壁面に設けられた突起と、当該突起に掛止される掛止部を備えたブラケットと、前記ブラケットを前記山留め壁の壁面に固定するための固定部材とからなり、前記ブラケットは、腹起しが載置されるアーム部と、当該アーム部の基端側から前記山留め壁の壁面に沿って上方に延びる延出部とを有し、前記延出部を前記固定部材により固定するようにしたことを特徴とする腹起し取付け構造。
【請求項２】
前記突起には前記ブラケットの掛止部を前記山留め壁の壁面との間で挟み込むフック部が設けられてなることを特徴とする請求項１記載の腹起し取付け構造。
【請求項３】
前記延出部を前記アーム部に載置される腹起しより上方で前記固定部材によって固定するようにしたことを特徴とする請求項１または２記載の腹起し取付け構造。
【請求項４】
前記固定部材はアンカーであることを特徴とする請求項１〜３のいずれかに記載の腹起し取付け構造。
【請求項５】
前記固定部材は腹起しであることを特徴とする請求項１〜３のいずれかに記載の腹起し取付け構造。
【発明の詳細な説明】
【技術分野】
【０００１】
本願発明は、山留め工事で用いられる腹起し取付け構造に関し、特に腹起しを設置するためのブラケットの取付けおよび撤去を簡単に行うことにより、山留め工の仮設および撤去をきわめて効率的に行えるようにしたものである。
【背景技術】
【０００２】
地下構造物を構築するために地盤を広範囲にわたって掘削する際、例えば図５に図示するように、山留め壁２０、腹起し２１、タイバックアンカー２２などの山留め支保工を設けて周囲の地盤が崩壊しないようにする必要がある。
【０００３】
ここで特に腹起し２１は、図示するように山留め壁２０の壁面に所定間隔おきに突設された複数のブラケット２３の上に架け渡することにより山留め壁２０の壁面に沿って設置され、またブラケット２３には主にタイバックアンカー２２の反力による鉛直荷重と時計回りの曲げモーメントが作用する。
【０００４】
ところで、従来、この種のブラケット２３は、山留め壁２０の壁面に一つ一つ現場溶接することにより取り付ける一方、山留め工の撤去に際しては切断する等して除去していた。
【特許文献１】特開平２０００−１６０５５９号公報
【特許文献２】特開平２００１−１３１９７７号公報
【特許文献３】特開平２００３−２３９２８８号公報
【特許文献４】特開平２００３−２６８７７０号公報
【発明の開示】
【発明が解決しようとする課題】
【０００５】
しかし、現場溶接は、特に天候に大きく左右されやすく、またこの種のブラケットは相当な数になるため時間(日数)も相当かかり、さらに使用後のブラケットは山留め壁の壁面から手荒に切断して除去され、その多くはそのまま廃材として処理されているため、非常に不経済であった。
【０００６】
本願発明は、以上の課題を解決するためになされたもので、特に腹起しを設置するためのブラケットの取付けおよび撤去を簡単に行うことにより、山留め工の仮設および撤去をきわめて効率的に行えるようにした腹起し取付け構造を提供することを目的とする。
【課題を解決するための手段】
【０００７】
請求項１記載の腹起し取付け構造は、山留め壁に腹起しを取り付けるための腹起し取付け構造であって、前記山止め壁の壁面に設けられた突起と、当該突起に掛止される掛止部を備えたブラケットと、前記ブラケットを前記山留め壁の壁面に固定するための固定部材とからなり、前記ブラケットは、前記腹起しが載置されるアーム部と、前記アーム部の基端側から前記山留め壁の壁面に沿って上方に延びる延出部とを有し、前記延出部を前記固定部材によって固定するようにしたことを特徴とするものである。
【０００８】
本願発明は、山留め壁の壁面に腹起しを設置するためのブラケットを、山留め壁の壁面に脱着自在に取り付けるようにしたことで、これまで必要とされたブラケットの現場溶接による取付けおよび切断による除去をなくして山留め工の効率的仮設および撤去を可能にするとともに、ブラケットの反覆利用によりコスト削減を可能にしたものである。
【０００９】
この場合の山留め壁は、例えばＳＭＷ工法、親杭横矢板工法、鋼矢板工法などの山留め工法によって構築することができ、またＳＭＷ工法による山留め壁の場合、突起は芯杭として設置されたＨ形鋼などの形鋼に形成すればよく、また親杭横矢板工法による場合、突起は親杭に形成すればよく、さらに鋼矢板工法による場合は鋼矢板に形成すればよい。
【００１０】
また、延出部を山留め壁の壁面に強く押し付けてブラケットを山留め壁の壁面に固定する固定部材としては、アーム部に載置される腹起し、当該腹起しの上段側に設置される腹起し、これら腹起し間に架け渡される切り梁、さらにこれら上下の腹起し間に施工されるアンカー等を利用することができる。また、この場合のアンカーには例えばホールインアンカーやタイバックアンカー等を利用することができる。
【００１１】
請求項２記載の腹起し取付け構造は、請求項１記載の腹起し取付け構造において、前記突起には前記ブラケットの掛止部を前記山留め壁の壁面との間で挟み込むフック部が設けられてなることを特徴とするものである。
【００１２】
このようなフック部を設けることにより、ブラケットに作用する水平力の一部をこのフック部に負担させることで、上方に延びる延出部の長さを極力短くすることができ、これによりブラケットを可能な限り小型に形成することができる等の効果がある。
【００１３】
請求項３記載の腹起し取付け構造は、請求項１または２記載の腹起し取付け構造において、前記延出部を前記アーム部に載置される腹起しより上方で固定部材によって固定するようにしたことを特徴とするものである。
【００１４】
本願発明は、アーム部の上方に延びる延出部を前記アーム部に載置される腹起しより上方に設置された腹起し、切り梁、タイバックアンカー等の固定部材によって固定することによりブラケットをより強固に固定することができる。
【発明の効果】
【００１５】
本願発明は、山留め壁の壁面に腹起しを設置するためのブラケットを、山留め壁の壁面に脱着自在に取り付けるようにしたことで、これまで必要とされたブラケットの現場溶接を一切なく、このため山留め工の仮設および撤去をきわめて効率的に行うことができ、またブラケットの反覆利用が可能なことによりコスト削減も図ることができる。
【発明を実施するための最良の形態】
【００１６】
図１〜図４は、本願発明の一例を示し、図において、山留め壁１の壁面に複数のブラケット２が横方向に所定間隔おきに突設され、このブラケット２，２間に腹起し３が水平に架け渡されている。
【００１７】
また、腹起し３の上側に溝形鋼などの形鋼からなる複数のブラケット４がブラケット２とは別に横方向に所定間隔おきに突設され、このブラケット４，４間に腹起し５が水平に架け渡されている。
【００１８】
さらに、腹起し３と腹起し５との間から背面の地山６に、複数のタイバックアンカー７が山留め壁１を貫通して施工され、各タイバックアンカー７の基端側７ａは腹起し３と腹起し５との間に架け渡された定着金具８に定着ナット９によってそれぞれ定着されている。こうして山留め壁１と上下の腹起し３および腹起し５と複数のタイバックアンカー７とからなる山留め工によって地山６が崩落しないように支持されている。
【００１９】
山留め壁１は、原位置土を主材料としたソイルセメント壁を地中に連続して形成する「ＳＭＷ工法」によって構築され、壁内には特にＨ形鋼からなる芯杭１０が所定間隔おきに建て込まれ、各芯杭１０の壁面側のフランジ１０ａの表面にはブラケット２を掛止するための突起１１が突設されている。
【００２０】
ブラケット２は、側面視ほぼ三角形状(トラス状)に形成されたアーム部１２とアーム部１２の上端部に芯杭１０のフランジ１０ａの表面に沿って上方に垂直に延びる平板状の延出部１３とから形成されている。
【００２１】
アーム部１２は、山留め壁１の壁面に垂直に突設された水平部１２ａと、当該水平部１２ａの基端側に芯杭１０のフランジ１０ａの表面に沿って垂設された垂直部１２ｂと当該垂直部１２ｂの下端部と前記アーム部１２ａの先端部間に斜めに設置された傾斜部１２ｃとからトラス状に形成され、また延出部１３の下端部には真下に開口し、芯杭１０の突起１１に掛止される掛止部１３ａが形成されている。
【００２２】
なお、この場合のアーム部１２の水平部１２ａ、垂直部１２ｂおよび傾斜部１２ｃはＬ形鋼や溝形鋼などの形鋼材から形成され、延出部１３は鋼板から形成されている。
【００２３】
このように形成された各ブラケット２は、掛止部１３ａを芯杭１０の突起１１に掛止させてアーム部１２を各芯杭１０の側面部に垂直に突出させ、かつ延出部１３を芯杭１０のフランジ１０ａの表面に添わせて各芯杭１０の側面部に設置されている。
【００２４】
そして、延出部１３の側面部に腹起し３と腹起し５が添え付けられ、腹起し３と腹起し５間に定着金具８が架け渡され、かつ各定着金具８にタイバックアンカー７の基端側７ａが定着ナット９によって定着され、こうして各ブラケット２は各芯杭１０の側面部に固定されている。
【００２５】
なお、例えば図３(ｂ)に図示するように、突起１１の上端部に角棒状の鋼材片１１ａを必要数重ねて取り付け、ブラケット２を嵩上げすることにより、必要に応じてブラケット２の高さを簡単に調整することができる。
【００２６】
また。例えば図３(ｃ)に図示するように、突起１１の上端部にブラケット２の掛止部１３ａを芯杭１０のフランジ１０ａとの間で挟み込むフック部１１ｂが設けられていることで、ブラケット２をより強固に固定することができる。
【００２７】
さらに、例えば図２(ｂ)に図示するように、山留め壁１に対するタイバックアンカー７の交差角度θが大きいとき、すなわちタイバックアンカー７の傾きが大きいときは、タイバックアンカー７の軸力の相当部分が延出部１３を山留め壁１の壁面に押し付ける力として作用するため、上段側の腹起し５は省略してもよい。
【００２８】
また、図３(ｃ)に図示するフック部１１ｂによりブラケット２が強固に固定され、安定が図れる場合には、上段側の腹起し５は省略してもよい。
【００２９】
図４(ａ)，(ｂ)は、本願発明の変形例を示し、腹起し３に切り梁１４の一端が接合され、上記したタイバックアンカー７が省略されている。この場合、切り梁１４の軸力が腹起し３を介して延出部１３を山留め壁１に強く押し付けることで、ブラケット２は山留め壁１の壁面に強固に固定されている。
【００３０】
なお、図においては、腹起し３の上方にさらに腹起し５が設置され、腹起し３と５に上下の切り梁１４の一端がそれぞれ接合されているが、この場合、上段側の腹起し５と切り梁１４は無くてもよい。
【産業上の利用可能性】
【００３１】
本願発明は、ブラケットの現場溶接による取付作業、および切断などによる撤去作業がなく、山留め工をきわめて効率的に仮設し、かつ撤去することができる。
【図面の簡単な説明】
【００３２】
【図１】山留め工の一例を示す一部正面図である。
【図２】(ａ)は山留め工の一部斜視図、(ｂ)は図１におけるイ−イ線拡大断面図である。
【図３】(ａ)は山留め工の一部分解斜視図、(ｂ)、(ｃ)は芯杭の一部斜視図である。
【図４】(ａ)は山留め工の一部視図、(ｂ)は山留め工の一部縦断面図である。
【図５】従来の山留め工の例を示す山留め壁の一部縦断面図である。
【符号の説明】
【００３３】
１  山留め壁
２  ブラケット
３  腹起し
４  ブラケット
５  腹起し
６  地山
７  タイバックアンカー
８  定着金具
９  定着ナット
１０  芯杭
１１  突起
１２  ブラケット本体
１３  延出部
【図１】
2006037552.tif 000003
【図２】
2006037552.tif 000004
【図３】
2006037552.tif 000005
【図４】
2006037552.tif 000006
【図５】
2006037552.tif 000007